【手続補正書】
【提出日】平成26年11月7日(2014.11.7)
【手続補正１】
【補正対象書類名】特許請求の範囲
【補正対象項目名】全文
【補正方法】変更
【補正の内容】
【特許請求の範囲】
【請求項１】
難燃性ポリアミド組成物の全重量に対して、
（ａ）少なくとも１種類のポリアミド約１０〜８４．２５重量％；
（ｂ）リン化合物から選択される、少なくとも１種類のハロゲン不含難燃剤約５〜２０重量％；
（ｃ）ベーマイト約０．５〜１０重量％；
（ｄ）２個より多いヒドロキシル基および数平均分子量（Ｍｎ）約２０００以下を有する、少なくとも１種類の多価アルコール約０．２５〜６重量％；および
（ｅ）少なくとも１種類の補強剤約１０〜５４重量％；
を含む、難燃性ポリアミド組成物。
【請求項２】
請求項１に記載の難燃性ポリアミド組成物を含む、物品。
【手続補正２】
【補正対象書類名】明細書
【補正対象項目名】００６４
【補正方法】変更
【補正の内容】
【００６４】
【表１】
2013542311.tif 000001
なお、本発明は、特許請求の範囲を含め、以下の発明を包含する。
１． 難燃性ポリアミド組成物の全重量に対して、
（ａ）少なくとも１種類のポリアミド約１０〜８４．２５重量％；
（ｂ）リン化合物から選択される、少なくとも１種類のハロゲン不含難燃剤約５〜２０重量％；
（ｃ）ベーマイト約０．５〜１０重量％；
（ｄ）２個より多いヒドロキシル基および数平均分子量（Ｍｎ）約２０００以下を有する、少なくとも１種類の多価アルコール約０．２５〜６重量％；および
（ｅ）少なくとも１種類の補強剤約１０〜５４重量％；
を含む、難燃性ポリアミド組成物。
２．前記少なくとも１種類のポリアミドが、芳香族ポリアミドから選択される、１に記載の難燃性ポリアミド組成物。
３．前記少なくとも１種類のポリアミドが、ポリアミドＭＸＤ，６；ポリアミド１２，Ｔ；ポリアミド１１，Ｔ；ポリアミド１０，Ｔ；ポリアミド９，Ｔ；ポリアミド６，Ｔ；ポリアミド６，Ｔ／６，６；ポリアミド６，６／６，Ｔ；ポリアミド６，Ｔ／６，Ｉ；ポリアミド６，Ｔ／Ｄ，Ｔ；ポリアミド６，６／６，Ｔ／６，Ｉ；ポリアミド６／６，Ｔ；ポリアミド６，Ｉ／６，Ｔ；ポリアミド６，Ｉ；ポリアミドＭＸＤ，Ｉ／６，Ｉ；ポリアミドＭＸＤ，Ｉ／ＭＸＤ，Ｔ／６，Ｉ／６，Ｔ；ポリアミドＭＸＤ，Ｉ／１２，Ｉ；ポリアミドＭＸＤ，Ｉ；ポリアミドＭＡＣＭ，Ｉ／１２；ポリアミドＭＡＣＭ，Ｉ／ＭＡＣＭ，Ｔ／１２；ポリアミド６，Ｉ／ＭＡＣＭ，Ｉ／１２；ポリアミド６，Ｉ／６，Ｔ／ＭＡＣＭ，Ｉ／ＭＡＣＭ，Ｔ；ポリアミド６，Ｉ／６，Ｔ／ＭＡＣＭ，Ｉ／ＭＡＣＭ，Ｔ／１２；ポリアミドＭＡＣＭ，Ｉ／ＭＡＣＭ，１２；およびその２種類以上の混合物；からなる群から選択される、１に記載の難燃性ポリアミド組成物。
４．前記少なくとも１種類のポリアミドが、脂肪族ポリアミドから選択される、１のいずれかに記載の難燃性ポリアミド組成物。
５．前記少なくとも１種類のポリアミドが、ポリアミド６；ポリアミド６，６；ポリアミド４，６；ポリアミド６，１０；ポリアミド６，１２；ポリアミド１１；ポリアミド１２；ポリアミド９，１０；ポリアミド９，１２；ポリアミド９，１３；ポリアミド９，１４；ポリアミド９，１５；ポリアミド６，１６；ポリアミド９，３６；ポリアミド１０，１０；ポリアミド１０，１２；ポリアミド１０，１３；ポリアミド１０，１４；ポリアミド１２，１０；ポリアミド１２，１２；ポリアミド１２，１３；ポリアミド１２，１４；ポリアミド６，１４；ポリアミド６，１３；ポリアミド６，１５；ポリアミド６，１６；ポリアミド６，１３；およびその２種類以上の混合物；からなる群から選択される、１に記載の難燃性ポリアミド組成物。
６．前記少なくとも１種類のポリアミドが、ポリアミド６，６；ポリアミド６，６／６，Ｔ；ポリアミド６，Ｔ／６，６；ポリアミド６，Ｉ／６，Ｔ；ポリアミド６，Ｔ／６，Ｉ；およびその２種類以上の混合物；からなる群から選択される、１に記載の難燃性ポリアミド組成物。
７．前記少なくとも１種類のポリアミドが、ポリアミド６，６／６，Ｔである、１に記載の難燃性ポリアミド組成物。
８．前記少なくとも１種類のハロゲン不含難燃剤が、式（Ｉ）のホスフィン酸塩、式（ＩＩ）のジホスフィン酸塩、およびその組み合わせまたはポリマー
【化１】
2013542311.tif 000002
（式中、Ｒ1およびＲ2は同一または異なり、かつＲ1およびＲ2のそれぞれが、水素または直鎖状もしくは分岐状Ｃ1−Ｃ6アルキル基またはアリールであり；Ｒ3は、直鎖状または分岐状Ｃ1−Ｃ10アルキレン基、Ｃ6−Ｃ10アリーレン基、アルキル−アリーレン基、またはアリール−アルキレン基であり；Ｍは、カルシウムイオン、マグネシウムイオン、アルミニウムイオン、亜鉛イオン、チタンイオン、およびその２種類以上の組み合わせからなる群から選択され；ｍは２または３の整数であり；ｎは１または３の整数であり；ｘは１または２の整数である）
からなる群から選択される少なくとも１つを含む、１から７のいずれか一項に記載の難燃性ポリアミド組成物。
９．前記少なくとも１種類の多価アルコールが、トリペンタエリトリトール、ジペンタエリトリトール、ペンタエリトリトール、およびその２種類以上の組み合わせからなる群から選択される、１から８のいずれか一項に記載の難燃性ポリアミド組成物。
１０．前記少なくとも１種類の多価アルコールが、ジペンタエリトリトールである、９に記載の難燃性ポリアミド組成物。
１１．前記少なくとも１種類の補強剤が、ガラス繊維、炭素繊維、珪灰石のウィスカ、チタン酸カリウムのウィスカ、モンモリロナイト、タルク、マイカ、炭酸カルシウム、シリカ、粘土、カオリン、ガラス粉末、ガラスビーズ、ポリマー粉末、およびその２種類以上の混合物からなる群から選択される、１から１０のいずれか一項に記載の難燃性ポリアミド組成物。
１２．前記少なくとも１種類の補強剤が、ガラス繊維から選択される、１から１０のいずれか一項に記載の難燃性ポリアミド組成物。
１３．前記難燃性ポリアミド組成物の全重量に対して、前記少なくとも１種類のポリアミド、前記少なくとも１種類のハロゲン不含難燃剤、前記ベーマイト、前記少なくとも１種類の多価アルコール、および前記少なくとも１種類の補強剤の含有率レベルが：
（ａ）それぞれ、約１０〜８３．７５重量％、約５〜２０重量％、約１〜９重量％、約０．２５〜６重量％、および約１０〜５５重量％；または
（ｂ）それぞれ、約１０〜８３．５重量％、約５〜２０重量％、約１〜９重量％、約０．５〜６重量％、および約１０〜５５重量％；または
（ｃ）それぞれ、約１９〜８２．７５重量％、約５〜１７重量％、約２〜８重量％、約０．２５〜６重量％、および約１０〜５０重量％；または
（ｄ）それぞれ、約１９〜８２．５重量％、約５〜１７重量％、約２〜８重量％、約０．５〜６重量％、および約１０〜５０重量％；または
（ｅ）それぞれ、約１９〜８２重量％、約５〜１７重量％、約２〜８重量％、約１〜６重量％、および約１０〜５０重量％；または
（ｆ）それぞれ、約１９．５〜８１重量％、約５〜１７重量％、約２〜８重量％、約２〜５．５重量％、および約１０〜５０重量％；または
（ｇ）それぞれ、約２９〜７７．７５重量％、約８〜１７重量％、約４〜８重量％、約０．２５〜６重量％、および約１０〜４０重量％；または
（ｈ）それぞれ、約２９〜７７．５重量％、約８〜１７重量％、約４〜８重量％、約０．５〜６重量％、および約１０〜４０重量％；または
（ｉ）それぞれ、約２９〜７７重量％、約８〜１７重量％、約４〜８重量％、約１〜６重量％、および約１０〜４０重量％；または
（ｊ）それぞれ、約２９．５〜７６重量％、約８〜１７重量％、約４〜８重量％、約２〜５．５重量％、および約１０〜４０重量％；または
（ｋ）それぞれ、約２９〜７７．７５重量％、約８〜１７重量％、約４〜８重量％、約０．２５〜６重量％、および約１０〜４０重量％である、１から１２のいずれか一項に記載の難燃性ポリアミド組成物。
１４．ＩＳＯ５２７−２／１Ａに従って決定される、５００時間の老化後の引張り強さ保持率約７０％以上、または約７０％〜９０％、または約７５％〜９０％を有する、１から１３のいずれか一項に記載の難燃性ポリアミド組成物。
１５．１から１４のいずれか一項に記載の難燃性ポリアミド組成物を含む、物品。
１６．成形物品である、１５に記載の物品。
１７．回路遮断器、コネクター、巻型、接続箱、インバーター、スイッチ、継電器、ランプソケット、モーター、およびプリンターからなる群から選択される、１５に記載の物品。